【手続補正書】
【提出日】平成15年9月10日(2003.9.10)
【手続補正１】
【補正対象書類名】特許請求の範囲
【補正対象項目名】全文
【補正方法】変更
【補正の内容】
【特許請求の範囲】
【請求項１】
高度に電気的に抵抗性の流体をモニタリングする方法であって、
ａ）潤滑剤、天然および／または合成モータオイル、標準の添加剤および／または添加物、燃焼エンジン燃料、輸送および工業用途に用いられる他の炭化水素ベースの流体、およびこれらの組み合わせからなる群から選択された流体にわたって、第１の電気応答が結果として得られるように第１の周波数および第１のＤＣオフセットでＡＣ電気ポテンシャルを印加する工程と、
ｂ）該結果として得られた第１の電気応答を測定する工程と、
ｃ）該流体にわたって、第２の電気応答を得るように、非０第１ＤＣオフセット電圧に対して第２の周波数、第２のオフセットまたはそれらの組み合わせでＡＣ電気ポテンシャルを印加する工程であって、該第２の周波数および該第２のＤＣオフセットは、それぞれ、該第１の周波数および第１のＤＣオフセットとは異なる、工程と、
ｄ）該結果として得られた第２の電気応答を測定する工程と、
ｅ）該各第１および第２の印加された電気ポテンシャルに対する該測定された第１および第２の電気応答から該流体の品質および／または状態を分析する工程と
を包含する、方法。
【請求項２】
ａ）所定の電気インピーダンス、分析された流体の品質状態およびそれらの組み合わせに基づきＡＣポテンシャルを繰り返し印加する工程と、
ｂ）前記結果として得られた電気応答を繰り返して測定する工程と、
ｃ）所定の電気インピーダンス、分析された流体品質状態およびそれらの組み合わせに基づいて、前記各第１および第２の印加された電気ポテンシャルに対する前記測定された第１および第２の電気応答および／または測定された第１および第２の電気応答の変化から前記流体の品質および／または状態を分析する工程と
を包含する、請求項１に記載の方法。
【請求項３】
高度に電気的に抵抗性の流体をモニタリングする方法であって、
ａ）流体であって、潤滑剤、天然および／または合成モータオイル、標準の添加剤および／または添加物、燃焼エンジン燃料、輸送および工業用途において用いられる他の炭化水素ベースの流体、およびこれらの組み合わせからなる群から選択される、流体にわたって、非０ＤＣオフセットを有する少なくとも一つのＡＣ電気ポテンシャルを有する少なくとも２つの異なるＡＣ電気ポテンシャルを含むＡＣ信号を印加する工程と、
ｂ）各印加されたポテンシャルで該流体の電気応答を測定する工程と、
ｃ）該印加されたＡＣ信号および対応する測定された電気応答を用いて該流体の品質および／または状態を分析する工程と
を包含する、方法。
【請求項４】
前記ＡＣ信号は、ＡＣ電気ポテンシャルであり、前記ＤＣオフセットは固定保持され、前記周波数は、連続する方法、少なくとも一つの非０ＤＣオフセットに対する一連の別個の周波数段階、または、これらの組み合わせから選択される方法によって、ある周波数から別の周波数に掃引される、請求項３に記載の方法。
【請求項５】
前記ＡＣ信号は、ＡＣ電気ポテンシャルであり、前記周波数は、固定保持され、前記ＤＣオフセット電圧は、連続する方法、少なく一つの周波数に対する一連の別個の電圧の段階、またはこれらの組み合わせから選択される方法によって、あるＤＣオフセット電圧から別のＤＶオフセット電圧に掃引され、前記流体の温度における前記流体の温度変動を測定する工程と、測定された温度に基づいて前記印加されたＡＣポテンシャルを制御する工程と、モニタリングされる該流体を所望の温度に加熱する工程とを包含する、請求項３に記載の方法。
【請求項６】
高度に電気的に抵抗性の流体をモニタリングするための装置であって、
ａ）モニタリングされる流体に浸漬された少なくとも一対の分離した電極と、
ｂ）非０ＤＣオフセットを有する少なくとも１つのポテンシャルを有する少なくとも２つの異なるＡＣポテンシャルを有する電気信号を該電極に印加する少なくとも１つの信号生成器と、
ｃ）該印加された信号に対する電気応答を測定する少なくとも１つのモニタと、
ｄ）該流体の品質および／または状態を決定するために印加された電気信号および対応する測定された電気応答を分析する制御器と
を含む、装置。
【請求項７】
前記電気応答モニタは、電流センサであり、前記印加されたポテンシャルに応答して生成された電流を測定し、前記制御器は、前記信号生成器を制御する、請求項６に記載の装置。
【請求項８】
高度に電気的に抵抗性の流体をモニタリングするための装置であって、
ａ）モニタリングされる流体と接触する感知手段と、
ｂ）該感知手段と電気的に通信する信号生成器手段であって、該信号生成手段は、非０ＤＣオフセットを有する少なくとも１つのポテンシャルを有する少なくとも２つの異なるＡＣポテンシャルを有する電気信号を該感知手段に印加する、信号生成器手段と、
ｃ）該印加された信号に対する電気応答を測定するモニタリング手段と、
ｄ）該流体の品質および／または状態を決定するために印加された電気信号および対応する測定された電気応答を分析する制御手段であって、該制御手段は、該信号生成器手段を制御する、制御手段と、
ｅ）該流体の温度をモニタリングする手段と、
ｆ）該所定の流体の品質および／または状態を該当するモニタリングされた流体温度で補正するための手段と、
ｇ）該モニタリングされた流体温度により該信号生成器手段を制御するための手段と、
ｈ）モニタリングされる該流体の温度を調節するための手段と、
ｉ）モニタリングされる該流体が全体に置換されるか、部分的にリフレッシュされるとき、およびリフレッシュする流体の濃度を該制御器のために決定するための手段と
を含む、装置。
【請求項９】
高度に抵抗性の流体をモニタリングする方法であって、
ａ）該流体に第１の電気信号を印加する工程であって、該第１の電気信号は、第１の時間変動成分および第１の時間不変動成分を有する、工程と、
ｂ）該第１の電気信号に対する第１の電気応答を測定する工程と、
ｃ）該流体に第２の電気信号を印加する工程であって、該第２の電気信号は、第２の時間変動成分および第２の時間不変動成分を有する、工程と、
ｄ）該第２の電気信号に対する第２の電気応答を測定する工程と、
ｅ）該測定された第１および第２の電気応答の少なくとも１つを用いて該流体の状態および品質の少なくとも１つを決定する工程と
を包含する、方法。
【請求項１０】
前記第２の時間変動成分および前記第２の時間不変動成分の両方は、それぞれ、前記第１の時間変動成分および前記第１の時間不変動成分とは異なり、前記第２の時間変動成分は、前記第１の時間変動成分とは異なり、かつ、前記第１および第２の時間不変動成分の少なくとも１つは、非０である、請求項９に記載の方法。
【手続補正２】
【補正対象書類名】図面
【補正対象項目名】全図
【補正方法】変更
【補正の内容】
【図１】
2004526960.tif 000001
【図２】
2004526960.tif 000002
【図３】
2004526960.tif 000003
【図４】
2004526960.tif 000004
【図５】
2004526960.tif 000005
【図６】
2004526960.tif 000006
【図７】
2004526960.tif 000007
【図８】
2004526960.tif 000008
【図９】
2004526960.tif 000009
【図１０】
2004526960.tif 000010
【図１１】
2004526960.tif 000011
【図１２】
2004526960.tif 000012
【図１３】
2004526960.tif 000013